(57)【要約】本発明は電気炉を利用した発電装置に関するもので、より詳しくは、電気炉で電気を利用してお湯を沸して水蒸気を発生させた後、この蒸気を利用してタービンを回して電気を発生させる電気炉を利用した発電装置に関するものである。本発明による電気炉を利用した発電装置は、電気炉と、蒸気管と、タービンと、発電機と、復水器と、過熱器とを含む。上記電気炉は水を加熱して蒸気に作る。上記蒸気管は上記電気炉で噴出される蒸気を案内する。上記タービンは上記蒸気管の出口に配置されて上記蒸気で可動される。上記発電機は上記タービンで可動されて電気を発生させる。上記復水器は上記タービンを可動させた後、排出される蒸気を凝縮させる。上記過熱器は上記復水器で凝縮された凝縮液を過熱させて上記電気炉に供給する。本発明によれば、深夜電力を利用して電気炉のお湯を沸して水蒸気を発生させて電気を生産することができる。それにより、火力発電や原子力発電で発生する公害と環境破壊の問題点を誘発させないで発電することができる。【選択図】図１
2015535319.tif 000002
【特許請求の範囲】
【請求項１】
水を加熱して蒸気に作る電気炉と、
前記電気炉で噴出される蒸気を案内する蒸気管と、
前記蒸気管の出口に配置されて、前記蒸気で可動されるタービンと、
前記タービンで可動されて電気を発生させる発電機と、
前記タービンを可動させた後排出される蒸気を凝縮させる復水器と、
前記復水器で凝縮された凝縮液を過熱させて、前記電気炉に供給する過熱器とを含むことを特徴とする電気炉を利用した発電装置。
【請求項２】
前記電気炉は、
水を収容するハウジングと、
外部から放熱棒を挿入することができるように、前記ハウジングに装着された複数の放熱棒容器と、
電気を利用して前記ハウジングに収容された水を加熱させるために、前記それぞれの放熱棒容器に挿入される複数の放熱棒と、
前記放熱棒容器を固定させることができるように前記ハウジングに装着された固定体とを備えることを特徴とする請求項１に記載の電気炉を利用した発電装置。
【請求項３】
前記放熱棒容器は、一端が前記ハウジングの外部に固定されるように前記ハウジングの外部から半径方向に挿入装着されて、前記ハウジングの円周方向に沿って複数が装着されて多層に形成され、
前記固定体は垂直方向に前記ハウジングの中心に固定設置されて、前記放熱棒容器の他端を固定させることを特徴とする請求項２に記載の電気炉を利用した発電装置。
【請求項４】
外部から放熱棒を挿入することができるように前記蒸気管に装着された複数の放熱棒容器と、
電気を利用して前記蒸気管に流れる蒸気を加熱させるために、前記蒸気管に装着されたそれぞれの放熱棒容器に挿入される複数の放熱棒とをさらに含むことを特徴とする請求項３に記載の電気炉を利用した発電装置。
【請求項５】
前記ハウジングの内部で発生された蒸気のみを前記蒸気管に送るために、蒸気を排出させることができる複数の貫通孔が形成された水蒸気濾板を前記ハウジングの上部で前記貫通孔が互いにずれるように多段で備えた気水分離器をさらに含むことを特徴とする請求項４に記載の電気炉を利用した発電装置。
【請求項６】
前記水蒸気濾板は、前記貫通孔を囲むように垂直に突起された濾し突起が形成されたことを特徴とする請求項５に記載の電気炉を利用した発電装置。
【発明の詳細な説明】
【技術分野】
【０００１】
本発明は電気炉を利用した発電装置に関するもので、より詳しくは、電気炉で電気を利用してお湯を沸し水蒸気を発生させた後、この水蒸気を利用してタービンを回して電気を発生させる電気炉を利用した発電装置に関するものである。
【背景技術】
【０００２】
韓国の４大エネルギー構成源は石油、石炭、原子力、液化天然ガス（ＬＮＧ）の順である。今後石油及び石炭の比重が減少する一方、原子力及びＬＮＧの比重は増加されることと見込まれる。一方、代替エネルギーは技術水準及び市場基盤造成が充分でなく、現実的代案としてはまだ不十分であるが、政府の力強い政策意志及び支援政策の実行が至急な状況である。
【０００３】
エネルギーの専門家たちは「５０年後に石油が相当枯渇されるだろう」と予測し、「太陽光、風力、埋立ガス発電などの代替エネルギーの開発に拍車をかけなければならない」と主張している。しかし、韓国国内の代替エネルギーを活発に開発するためには、低い技術レベル、専門人力の不足、投資規模の不十分などの問題を至急解決しなければならないと指摘されている。
【０００４】
現在、火力発電の場合、公害及び環境破壊を誘発するなどの問題点を有し、原子力発電の場合、チェルノブイリと福島原発事故のような莫大な危険性を抱いていながらも全世界的に原子力の発電を使っている。
【発明の概要】
【発明が解決しようとする課題】
【０００５】
本発明は上記の問題点を解決するためのものである。本発明は火力発電と原子力発電の問題点を補完することができる新概念の電力発電所であって、１次的に深夜電気を利用して発電した後、発電した電気（２次）を再利用（Peedback）して発電することができる方法を提供することを目的とする。この時、電気炉内に放熱管が装着される場合、熱効率を非常に高めることができ、蒸気の高温高圧装置も充分調整可能である。
【課題を解決するための手段】
【０００６】
本発明による電気炉を利用した発電装置は、電気炉と、蒸気管と、タービンと、発電機と、復水器と、過熱器とを含む。上記電気炉は水を加熱して蒸気に作る。上記蒸気管は上記電気炉で噴出される蒸気を案内する。上記タービンは上記蒸気管の出口に配置されて上記蒸気で可動される。上記発電機は上記タービンで可動されて電気を発生させる。上記復水器は上記タービンを可動させた後排出される蒸気を凝縮させる。上記過熱器は上記復水器で凝縮された凝縮液を過熱させて上記電気炉に供給する。
【０００７】
また、上記電気炉を利用した発電装置において、上記電気炉は、ハウジングと、複数の放熱棒容器と、複数の放熱棒と、固定体とを備えることが好ましい。上記ハウジングは水を収容する。上記放熱棒容器は外部から放熱棒を挿入することができるように上記ハウジングに装着される。上記放熱棒は電気を利用して上記ハウジングに収容された水を加熱させるために、上記それぞれの放熱棒容器に挿入される。上記固定体は上記放熱棒容器を固定させることができるように上記ハウジングに装着される。
【０００８】
また、上記電気炉を利用した発電装置において、上記放熱棒容器は一端が上記ハウジングの外部に固定されるように上記ハウジングの外部から半径方向に挿入装着されて、上記ハウジングの円周方向に沿って複数が装着されて多層に形成されることが好ましい。この場合、上記固定体は垂直方向に上記ハウジングの中心に固定設置されて上記放熱棒容器の他端を固定させる。
【０００９】
また、上記電気炉を利用した発電装置は、複数の放熱棒容器と、複数の放熱棒とをさらに含むことが好ましい。上記放熱棒容器は外部から放熱棒を挿入することができるように上記蒸気管に装着される。そして、放熱棒は電気を利用して上記蒸気管に流れる蒸気を加熱させるために上記蒸気管に装着されたそれぞれの放熱棒容器に挿入される。
【００１０】
また、上記電気炉を利用した発電装置は気水分離器をさらに含むことが好ましい。この場合、気水分離器は上記ハウジングの内部で発生された蒸気のみを上記蒸気管に送るために蒸気を排出させることができる複数の貫通孔が形成された水蒸気濾板を上記ハウジングの上部で上記貫通孔が互いにずれるように多段で備える。
【００１１】
また、上記電気炉を利用した発電装置において、上記水蒸気濾板は上記貫通孔を囲むように垂直に突起された濾し突起が形成されたことが好ましい。
【発明の効果】
【００１２】
本発明によれば、深夜電力を使って電気炉のお湯を沸して水蒸気を発生させて電気を生産することができる。それにより、火力発電や原子力発電で発生する公害及び環境破壊の問題点を誘発させないで発電することができる。
【図面の簡単な説明】
【００１３】
【図１】本発明による電気炉を利用した発電装置の一実施例の概念図である。
【図２】図１に示した実施例の電気炉の概念図である。
【図３】図１に示した実施例の電気炉に装着された放熱棒容器及び放熱棒の概念図である。
【図４】図１に示した実施例の水蒸気濾板の概念図である。
【図５】図１に示した実施例の概念図である。
【発明を実施するための形態】
【００１４】
図１〜図５を参照して本発明による電気炉を利用した発電装置の一実施例を説明する。
【００１５】
本発明による電気炉を利用した発電装置は、電気炉１０と、気水分離器１５と、蒸気管２０と、タービン２５と、発電機３０と、復水器３５と、過熱器４０とを含む。
【００１６】
電気炉１０は水を加熱して高温・高圧蒸気に作る。このために、電気炉１０はハウジング１１と、複数の放熱棒容器１４と、複数の放熱棒１２と、固定体１３とを備える。
【００１７】
ハウジング１１は水を収容する。放熱棒１２はハウジング１１に装着されて、電気を利用してハウジング１１に収容された水を加熱させて蒸気に作る。このために、放熱棒１２がハウジング１１に装着されることができるように放熱棒容器１４がハウジング１１に設置される。
【００１８】
放熱棒容器１４は、放熱棒１２を装着させる役割を果たし、放熱棒１２が外部から装着されることができるように、一端１４ａがハウジング１１の外部に固定されるように、ハウジング１１の外部から半径方向に挿入装着される。そして、放熱棒容器１４がハウジング１１の円周方向に沿って円周方向に複数が装着され、円周方向に沿って複数装着されたものが多段に形成される。この時、水が加熱されて蒸気になると、放熱棒容器１４が蒸気によって揺れることがある。これを防止するために、固定体１３はハウジング１１の内部で放熱棒容器１２を固定させる役割を果たす。固定体１３はハウジング１１の中心で垂直方向に設置されて、放熱棒容器１４の他端１２ｂを固定させる。即ち、固定体１３はハウジング１１の中心で垂直に立てられて固定され、放熱棒容器１４の他端１２ｂが固定体１３に固定される。そして、固定体１３の上部は揺れないようにハウジング１１に固定される。このようにして放熱棒１２は外部から放熱棒容器１４に挿入して装着させることができる。放熱棒１２を長時間使用すると寿命になり取り替らなければならない。この場合、放熱棒容器１４から分離して放熱棒１２を取り替えることができる。放熱棒１２に電気が供給されると、放熱棒１２が加熱されてハウジング１１の内部の水を加熱させて蒸気に作る。
【００１９】
気水分離器１５はハウジング１１の内部に蒸気が発生した場合、蒸気のみを濾して蒸気管２０に送る役割を果たす。このために、気水分離器１５は多段の水蒸気濾板１６を備える。
【００２０】
水蒸気濾板１６は複数の貫通孔１７が形成され、貫通孔１７から蒸気が噴出されることができる。そして水蒸気濾板１６には貫通孔１７を囲むように垂直に突起された濾し突起１８が形成される。水蒸気濾板１６はハウジング１１の上部で多段に設置され、この時水蒸気濾板１６で貫通孔１７が互いにずれるように水蒸気濾板１６が設置される。このようにして、ハウジング１１でお湯が沸いて貫通孔１７から出る場合、１次的に濾し突起１８にぶつかって水分の一部は濾し突起１８に宿り、残りは貫通孔１７から出る。一方、水蒸気濾板１６が多段に形成され、この時、貫通孔１７が互いにずれるように形成されているので、各段の貫通孔１７を出ながら水分は除去され、蒸気のみ蒸気管２０で噴出されることができる。図面には示していないが、この時、水蒸気濾板１６は若干ドーム形式に突出して形成されることが好ましい。この場合、さらに蒸気を集めて排出させることができる。
【００２１】
蒸気管２０はハウジング１１で発生した蒸気をタービン２５に案内する役割を果たす。この時、蒸気管２０には蒸気の温度及び圧力を高めるために、蒸気管２０で排出される蒸気を加熱させる必要がある。このために、蒸気管２０にも複数の放熱棒容器１４と複数の放熱棒１２が設置される。この時、放熱棒容器１４は蒸気の流れによって揺れることを防止するために、その両端が蒸気管２０に固定されるように設置される。放熱棒容器１４が蒸気管２０に固定されると、放熱棒１２を外部から放熱棒容器１４に挿入して装着させることができる。蒸気管２０に設置された放熱棒１２は蒸気管２０に流れる蒸気を加熱させて蒸気の圧力と温度を高める。一方、放熱棒容器１４を蒸気管２０に設置する時、放熱棒容器１４の入口を互いにずれるように設置することが好ましい。
【００２２】
タービン２５は蒸気管２０の出口に設置されて、蒸気管２０で排出される蒸気によって可動される。
【００２３】
発電機３０はタービン２５で作動して電気を生産することができるようにタービン２５に連結される。
【００２４】
復水器３５はタービン２５を可動させた後、タービン２５で排出された蒸気を水で冷却させる。
【００２５】
過熱器４０は復水器３５で冷却された水を加熱して電気炉１０に供給する。タービン２５、発電機２０、復水器３５及び過熱器４０は従来の発電装置と同じであるので、詳しい説明は省略する。
【００２６】
電気炉１０のハウジング１１の内部の放熱棒１２が加熱されると、ハウジング１１に収容された水が加熱されて蒸気が発生される。蒸気が発生する場合、上昇気流が発生して放熱棒１２が揺れることができるが、放熱棒１２は放熱棒容器１４に設置され、放熱棒容器１４の一端１４ａはハウジング１１に固定され、他端１４ｂは固定体１３に固定されているので、放熱棒容器１４が揺れることを防止することができる。
【００２７】
ハウジング１１で発生された蒸気は水蒸気濾板１６の貫通孔１７から排出され、多段で設置された水蒸気濾板１６の貫通孔１７を通過しながら蒸気のみ排出されて蒸気管２０に流入される。蒸気管２０に流入された蒸気は蒸気管２０に設置された放熱棒１２によって蒸気管２０で蒸気がもう一度加熱されて温度及び圧力が上昇される。蒸気管２０を通過しながら圧力が上昇された蒸気はタービン２５で排出されてタービン２５を作動させる。それにより、タービン２５は発電機３０を作動させて電気を生産する。
【符号の説明】
【００２８】
１０：電気炉
１１：ハウジング
１２：放熱棒
１３：固定体
１４：放熱棒容器
１４ａ：放熱棒容器の一端
１４ｂ：放熱棒容器の他端
１５：気水分離器
１６：水蒸気濾板
１７：貫通孔
１８：濾し突起
２０：蒸気管
２５：タービン
３０：発電機
３５：復水器
【図１】
2015535319.tif 000003
【図２】
2015535319.tif 000004
【図３】
2015535319.tif 000005
【図４】
2015535319.tif 000006
【図５】
2015535319.tif 000007
【国際調査報告】
2015535319.tif 000008
2015535319.tif 000009
2015535319.tif 000010
2015535319.tif 000011